(57)【要約】【課題】  外装材の取付けが簡単で目地の止水性を有する下地構造の止水板及び止水システムを提供する。【解決手段】  外壁材１２の取付けにより形成される縦の目地１８ａは、左右に隣り合う２つの外壁材１２のパネル本体１２ａの側面部と、外壁材１２の第二差込み部１２ｄとで形成される。第二差込み部１２ｄは、第一ハゼ部１２ｃに当接している。縦の目地１８ａに降り注ぐ雨水２２は、目地１８ａに沿って下方に落下する。また、雨水２２が第二差込み部１２ｄと第一ハゼ部１２ｃの当接部分から浸入した場合、その浸入した雨水２２は、第二差込み部１２ｄ、第一ハゼ部１２ｃおよび導水部１２ｆにより形成される隙間２４を流れ下方に落下する。また、隙間２４に浸入した雨水２２が、第二差込み部１２ｄと導水部１２ｆの当接部分から浸入した場合は、その雨水２２は、止水板１４により下方に流される。止水板１４に流出する雨水２２は、止水板１４の導水部１４ａ、１４ｂに遮られるため、外装材１２間からの雨水２２の浸入を阻止できる。【選択図】  図６
2012021327.tif 000002
【特許請求の範囲】
【請求項１】
矩形の鋼板の表面にその鋼板の左右の長辺部分を折り曲げて導水部を形成し、下部の先端にテーパー状の挿入部を形成したものであって、縦材の下地金属のフランジに裏面を当接させてビスを用いて固定することを特徴とする下地構造の止水板。
【請求項２】
請求項１記載の止水板と外壁材とからなるものであって、前記外壁材は、略筺体のパネル本体と、パネル本体上部側面の底部から張り出す第一差込み部と、パネル本体右側面又は左側面の底部に形成される第一ハゼ部と、パネル本体左側面又は右側面の底部から張り出す第二差込み部と、パネル本体下部側面の底部に形成される第二ハゼ部とを有し、横材の下地金属のフランジに第一差込み部を固定し、縦材の下地金属のフランジに第一ハゼ部を固定し、当該固定した外壁材の上方の下地の枠に固定する他の外壁材の第二ハゼ部に前記固定した外壁材の第一差込み部を挿入して他の外壁材の第一差込み部および第一ハゼ部を横材および縦材に固定し、また、前記固定した外壁材の右方向又は左方向の下地の枠に固定する他の外壁材の第二差込み部を前記固定した外壁材の第一ハゼ部に挿入して他の外壁材の第一差込み部および第一ハゼ部を横材および縦材に固定することを特徴とする下地構造の止水システム。
【請求項３】
前記第一ハゼ部の先端部を折り曲げて導水部を形成することを特徴とする請求項２記載の下地構造の止水システム。
【発明の詳細な説明】
【技術分野】
【０００１】
本発明は、外壁材の目地の止水性を確保するための下地構造の止水板及び止水システムに関するものである。
【背景技術】
【０００２】
建築物の外壁工事では、建築物を風雨から守る外装用パネル等の外装材を下地に取り付ける工事が行われる。下地は、アングル材（山形鋼）等の下地金属を縦横に組んだ骨組みであり、格子状に組まれる。外装材は、縦横に組んだ下地金属により形成される格子の枠にビスを用いて固定し取り付けられる。従来、外装材の継ぎ目（以下、「目地」という。）には、ビスを隠し又止水性を確保するためにシーリング材が充填されている。シーリング材には、断熱材、モルタル、シール、パテ等が使用されている。
【０００３】
しかし、シーリング材の充填は手間がかかり、コスト高となるという問題があった。また、シーリング材の劣化により止水性が低下するという問題もあった。そこで、近年では、目地にシーリング材を充填しない構造が提供されている（例えば、特許文献１）
【先行技術文献】
【特許文献】
【０００４】
【特許文献１】特許第４２４８５９６号公報
【発明の概要】
【発明が解決しようとする課題】
【０００５】
特許文献１の外装構造は、アルミ合金の押出形材で一体成形された見付け片と見付け片の左右方向中央部より躯体側に突出する見込み片と、見込み片の左右両側に設けた止水ゴムとを有する目地棒を目地に取り付けるものである。止水ゴムは、左右に隣接する外装パネルの側面壁にそれぞれ当接しており、見付け片により止水ゴムが隠蔽されている。これにより、外装パネルを上下面を互いに当接させながら下のものから順番に配置し、取付片を縦樋兼下地材の側壁と目地棒取付部との間の底壁にビス止めすることで、外装パネルを１枚ずつ簡単に取付けでき、目地棒は見込み片の先端部に設けた係合部を縦樋兼下地材の目地棒取付部に屋外側から係合するだけで簡単に取付けできるので、施工が容易となる。また、目地棒の見付け片と止水ゴムにより左右の外装パネル間からの雨水の浸入を阻止できる。
【０００６】
特許文献１の外装構造は、従来のシーリング材に代えて、止水ゴム等からなる止水手段を使用する目地棒を用いるものである。
しかし、目地棒は、外装材と材料が異なる止水手段（止水ゴム等）を使用することから、コスト高となる。また、外装材の取付け後に目地棒の取付作業を行わなければならず、外装材の取付け以外の作業が必要となることから、コストを軽減できるものではなかった。
【０００７】
本発明は、上記問題を解決するものであって、外装材の取付けが簡単で目地の止水性を有する下地構造の止水板及び止水システムを提供することを目的とするものである。
【課題を解決するための手段】
【０００８】
本発明の下地構造の止水板は、矩形の鋼板の表面にその鋼板の左右の長辺部分を折り曲げて導水部を形成し、下部の先端にテーパー状の挿入部を形成したものであって、縦材の下地金属のフランジに裏面を当接させてビスを用いて固定するようにしたものである。
【０００９】
本発明の下地構造の止水システムは、前記止水板と外壁材とからなるものであって、前記外壁材は、略筺体のパネル本体と、パネル本体上部側面の底部から張り出す第一差込み部と、パネル本体右側面又は左側面の底部に形成される第一ハゼ部と、パネル本体左側面又は右側面の底部から張り出す第二差込み部と、パネル本体下部側面の底部に形成される第二ハゼ部とを有し、横材の下地金属のフランジに第一差込み部を固定し、縦材の下地金属のフランジに第一ハゼ部を固定し、当該固定した外壁材の上方の下地の枠に固定する他の外壁材の第二ハゼ部に前記固定した外壁材の第一差込み部を挿入して他の外壁材の第一差込み部および第一ハゼ部を横材および縦材に固定し、また、前記固定した外壁材の右方向又は左方向の下地の枠に固定する他の外壁材の第二差込み部を前記固定した外壁材の第一ハゼ部に挿入して他の外壁材の第一差込み部および第一ハゼ部を横材および縦材に固定するようにしたものである。
また、前記第一ハゼ部の先端部を折り曲げて導水部を形成するようにしたものである。
【発明の効果】
【００１０】
本発明の下地構造の止水板は、目地の背面に設けられるものであり、目地から浸入する雨水を建築物の下方に導く構造となっている。これにより、外壁材間から浸入する雨水を止水することができる。
【００１１】
本発明の下地構造の止水システムは、外壁材とその外壁材と同一の材料で形成される上記止水板とから構成されるものである。外壁材と異なる素材からなる止水手段を使用する特許文献１の外装構造では、異なる素材を用いるためコスト高となるが、本発明の止水システムは、同一素材で止水手段を形成するため、コストを軽減することができる。
また、本発明の止水システムは、下地金属のフランジにビスを用いて止水板および外壁材を取り付ける簡単な作業で組み立てることができる。これにより、外装工事の作業効率を向上させることができる。
また、外壁材の連結部にハゼ（馳）構造を設けることにより、外壁材の取付作業の容易となるとともに、止水性の優れた外装工事を提供することができる。
【図面の簡単な説明】
【００１２】
【図１】本発明の下地構造の止水システムを用いて外壁材を取り付けた建築物の外壁を表わす図である。
【図２】図１の止水板を表わす図である。
【図３】図１の外壁材を表わす図である。
【図４】図３のＡ−Ａ線端面図である。
【図５】図３のＢ−Ｂ線端面図である。
【図６】図１のＣ−Ｃ線端面図である。
【図７】図１のＤ−Ｄ線端面図である。
【図８】図７の差込み（取り付け）状態を表わす斜視図である。
【図９】図６のＥ−Ｅ線断面図である。
【発明を実施するための形態】
【００１３】
本発明は、外壁材と同一の素材を用いて止水性を有する外壁材の取付けを行うことを実現するものである。
【実施例１】
【００１４】
本発明の下地構造の止水板および止水システムを図に基づいて説明する。図１は、本発明の下地構造の止水システムを用いて外壁材を取り付けた建築物の外壁を表わす図である。図２は、図１の止水板を表わす図であり、図（ａ）は平面図、図（ｂ）は正面図である。図３は、図１の外壁材を表わす図である。図４は図３のＡ−Ａ線端面図、図５は図３のＢ−Ｂ線端面図、図６は図１のＣ−Ｃ線端面図、図７は図１のＤ−Ｄ線端面図、図８は図７の差込み（取り付け）状態を表わす斜視図、図９は図６のＥ−Ｅ線断面図である。
図１の下地構造の止水システム１０は、外装材（外装パネル）１２と、外装材１２の背面に設ける止水板１４とから形成されるものである。すなわち、止水板１４は、下地構造を形成する縦横に組まれた下地金属（アングル材）１６の縦材のフランジに沿って取り付けられ、その止水板１４の上に外装材１２が取り付けられる（図９）。
なお、外装材１２のパネル本体１２ａ間には、目地１８ａ、１８ｂが縦横に形成されている。
【００１５】
本発明の止水板１４は、外装材１２と同一素材の矩形の鋼板の表面にその鋼板の左右の長辺部分を折り曲げて形成される導水部１４ａ、１４ｂを有するものである（図２（ａ））。また、止水板１４の下部先端部１４ｃには、導水部１４ａ、１４ｂを有せず、テーパー状の挿入部が形成されている（図２（ｂ））。
止水板１４は、縦材の下地金属のフランジ１６ａに裏面を当接させてビスを用いて固定する（図９）。止水板１４同士を連結する場合は、止水板１４の上部（頭部）１４ｄ（図２（ａ））の導水部１４ａ、１４ｂの隙間に止水板１４の下部１４ｃを挿入する（図９）。
なお、止水板の幅は、下地金属のフランジの幅より広く形成されている。
【００１６】
外装材１２は、略筺体のパネル本体１２ａと、パネル本体１２ａ上部側面の底部から張り出す第一差込み部１２ｂと、パネル本体１２ａ右側面の底部に形成される第一ハゼ（馳）部１２ｃと、パネル本体１２ａ左側面の底部から張り出す第二差込み部１２ｄと、パネル本体１２ａ下部側面の底部に形成される第二ハゼ（馳）部１２ｅとを有する外装パネルである。上記外装材１２の構成部は一体形成されており、外装材１２は、１枚の鋼板の板金加工により成型できる量産可能なものである（図４、図５）。
第一ハゼ部１２ｃには、他の外装材１２の第二差込み部１２ｄを挿入できるようになっている（図６）。第二ハゼ部１２ｅには、他の外装材１２の差込み部１２ｂを挿入できるようになっている（図７、図８）。
また、第一ハゼ部１２ｃは、その先端部を折り曲げて、止水板１４の導水部１４ａ、１４ｂと同様に形成する導水部１２ｆを有する。
なお、外装材１２において、第一ハゼ部１２ｃと第二差込み部１２ｄを左右逆の位置に形成してもよい。
【００１７】
第一ハゼ部１２ｃには、下地金属の縦材１６ａのフランジに外装材１２を固定するビス２０を打ち込むための穴部１２ｇが設けられている。
また、穴部１２ｇに打ち込まれたビス２０は、第一ハゼ部１２ｃに他の外装材１２の第二差込み部１２ｄを挿入した際、第二差込み部１２ｄによって覆われるため、目地１８に現れることはない（図６）。
【００１８】
第一差込み部１２ｂには、下地金属の横材１６ｂのフランジに外装材１２を固定するビス２０を打ち込むための穴部１２ｇが設けられている。
また、第二ハゼ部１２ｅには、既に取り付けられた外装材１２の差込み部１２ｂを他の外装材１２の第二ハゼ部１２ｅに挿入させる際（既に固定されている外装材１２の上方の枠に他の外装材１２を取り付ける際）、固定された外装材１２の穴部１２ｇに打ち込まれているビス２０が挿入される位置に切欠部１２ｈが設けられている（図３、図７、図８）。切欠部１２ｈを設けることにより、固定された外装材１２の第一差込み部１２ｂを次に取り付ける外装材１２の第二ハゼ部１２ｅに確実に挿入させることができ、当該２つの外装材１２を連結することができる。
なお、第一差込み部１２ｂの穴部１２ｇは、その第一差込み部１２ｂが他の外装材１２の第二ハゼ部１２ｅに挿入された際、打ち込まれたビス２０が第二ハゼ部１２ｅに収納される位置に設けられている（図７、図８）。これにより、第一差込み部１２ｂの穴部１２ｇに打ち込まれたビス２０は目地１８に現れないようにすることができる（図７、図８）。
【００１９】
次に、本発明の止水システムを用いた外装工事の手順について、図を用いて説明する。
（止水板の取付け）
下地を形成する縦材１６ａ（アングル材）のフランジに止水板１４の背面（導水部１４ａ、１４ｂが形成されていない面）を当接させ、ビス２０を用いて固定し取り付ける（図９）。
（外壁材の取付け）
下地構造の左下の枠を形成する縦材１６ａのフランジに外壁材１２の第一ハゼ部１２ｃを、外壁材１２の横材１６ｂのフランジに外壁材１２の第一差込み部１２ｂをそれぞれビス２０を用いて固定する（図６、図７、図８）。
上記固定した外壁材１２の上方の下地の枠に固定する他の外壁材１２の第二ハゼ部１２ｅに前記固定した外壁材１２の第一差込み部１２ｂを挿入して、他の外壁材１２の第一差込み部１２ｂおよび第一ハゼ部１２ｃをそれぞれ横材１６ｂおよび縦材１６ａに固定し、下地に他の外壁材１２を固定し取り付ける。また、前記固定した外壁材１２の右方向の下地の枠に固定する他の外壁材１２の第二差込み部１２ｄを前記固定した外壁材１２の第一ハゼ部１２ｃに挿入して他の外壁材１２の第一差込み部１２ｂおよび第一ハゼ部１２ｃを横材１６ｂおよび縦材１６ａに固定し取り付ける。上記外壁材１２の取付作業を繰り返すことにより、下地全体に外壁材１２を取り付けることができる。
【００２０】
本発明では、下地金属のフランジにビスを用いて止水板および外壁材を取り付ける簡単な作業で外壁材を取り付けることができることから、本発明により、外装工事の作業効率を向上させることができる。
また、本発明は、外壁材と同一の材料で形成される止水板とを用いて止水手段を形成するものであるため、異なる材料を用いて止水手段を形成する従来の技術に比べてコストを軽減することができる。
【００２１】
次に、本発明の止水システムの止水性について、図を用いて説明する。
外壁材１２の取付けにより形成される縦の目地１８ａは、左右に隣り合う２つの外壁材１２のパネル本体１２ａの側面部と、外壁材１２の第二差込み部１２ｄとで形成される（図６）。図６において、第二差込み部１２ｄは、第一ハゼ部１２ｃに差し込まれている。縦の目地１８ａに降り注ぐ雨水２２は、目地１８ａに沿って下方に流れる。その際、雨水２２の一部は、第二差込み部１２ｄと第一ハゼ部１２ｃの隙間２４を通るが、導水部１２ｆにより遮られ下方に流れる。また、導水部１２ｆから漏れる雨水２２は、止水板１４により下方に流される。止水板１４に漏れた雨水２２は、止水板１４の導水部１４ａ、１４ｂに遮られるため、外装材１２間からの雨水２２の浸入を阻止できる。
【００２２】
外壁材１２の取付けにより形成される横の目地１８ｂは、上下２つの外壁材１２のパネル本体１２ａの側面部と、外壁材１２の第一差込み部１２ｂとで形成される（図７、図８）。図７において、第一差込み部１２ｂは第二ハゼ部１２ｅに当接している。また、第二ハゼ部１２ｅは目地１８ｂの上方に位置するため、目地１８ｂに降り注ぐ雨水２２がハゼ部１２ｅを通り下地構造に浸入し難い構造となっている。
【００２３】
なお、本発明の止水システムでは、上下左右の４つの外壁材１２で囲まれる領域、すなわち縦の目地１８ａと横の目地１８ｂとが交差する部分２６（隙間）は、第一差込み部１２ｂ又は第二差込み部１２ｄで覆われないため、交差する部分２６の隙間から雨水２２が浸入するおそれがある。しかし、交差する部分２６の隙間から浸入した雨水２２は、止水板１４に遮られ下地には浸入しないため、止水性は確保される。
【００２４】
以上のように、本発明によると、外壁材の連結部にハゼ構造を設けることにより、外壁材の取付作業の容易となるとともに、止水性の優れた外装工事を提供することができる。
【符号の説明】
【００２５】
１０  止水システム
１２  外壁材
１２ａ  パネル本体
１２ｂ  第一差込み部
１２ｃ  第一ハゼ部
１２ｄ  第二差込み部
１２ｅ  第二ハゼ部
１２ｆ  導水部
１４  止水板
１４ａ、１４ｂ  導水部
１４ｃ  挿入部
１６  下地金属
１６ａ  縦材
１６ｂ  横材
【図１】
2012021327.tif 000003
【図２】
2012021327.tif 000004
【図３】
2012021327.tif 000005
【図４】
2012021327.tif 000006
【図５】
2012021327.tif 000007
【図６】
2012021327.tif 000008
【図７】
2012021327.tif 000009
【図８】
2012021327.tif 000010
【図９】
2012021327.tif 000011